(57)【要約】【課題】  保持対象の内視鏡の全長や各部分の構成によらずに内視鏡をしっかり保持することができ、かつ、完全に消毒した状態に維持することができる内視鏡用ホルダー及び内視鏡用ホルダーを備えた内視鏡用カートを提供する。【解決手段】  内視鏡を把持する把持面に脱着可能に配置し、又は、内周面に脱着可能に配置した弾性部材を備え、この弾性部材を介して内視鏡を把持又は弾性部材に接触した状態で内視鏡を保持する。【選択図】  図１
2006025883.tif 000002
【特許請求の範囲】
【請求項１】
把持することにより内視鏡を保持する内視鏡用ホルダーであって、
前記内視鏡を把持する把持面に脱着可能に配置した弾性部材を備え、
前記弾性部材を介して前記内視鏡を把持することを特徴とする内視鏡用ホルダー。
【請求項２】
内部に挿通することにより内視鏡を保持する筒状の内視鏡用ホルダーであって、
内周面に脱着可能に配置した弾性部材を備え、
前記弾性部材に接触した状態で前記内視鏡を保持することを特徴とする内視鏡用ホルダー。
【請求項３】
前記弾性部材は、シリコーンゴムである請求項１又は請求項２記載の内視鏡用ホルダー。
【請求項４】
内視鏡システムを構成する装置及び周辺機器を収納する内視鏡用カートであって、
把持することにより内視鏡を保持する内視鏡用ホルダーを備え、
前記内視鏡用ホルダーは、前記内視鏡を把持する把持面には脱着可能に配置した弾性部材を備え、
前記弾性部材を介して前記内視鏡を把持することを特徴とする内視鏡用カート。
【請求項５】
内視鏡システムを構成する装置及び周辺機器を収納する内視鏡用カートであって、
前記内視鏡用ホルダーは、内部に挿通することにより内視鏡を保持する筒状の内視鏡用ホルダーを備え、
内周面に脱着可能に配置した弾性部材が設けられ、
前記弾性部材に接触した状態で前記内視鏡を保持することを特徴とする内視鏡用カート。
【請求項６】
前記弾性部材は、シリコーンゴムである請求項４又は請求項５記載の内視鏡用カート。
【発明の詳細な説明】
【技術分野】
【０００１】
本発明は、内視鏡を保持する内視鏡用ホルダー、及び、この内視鏡用ホルダーを備え、内視鏡システムを構成する装置や周辺機器を収納する内視鏡用カートに関する。
【背景技術】
【０００２】
内視鏡、内視鏡に接続される機器、及び、これらに付随する周辺機器からなる内視鏡システムを効率良く収納し、かつ、内視鏡を用いた施術を効率的に行うために内視鏡用カートが用いられている。従来の内視鏡用カートでは、例えば特許文献１に示すように、内視鏡は、内視鏡用カートの側面に固定された支持棒に設けられたハンガーに吊り下げて収納されていた。
【特許文献１】特開平１０−２５８０１７号公報
【発明の開示】
【発明が解決しようとする課題】
【０００３】
しかしながら、上述の内視鏡カートにおいては、内視鏡はハンガーに吊り下げられた状態で保持されているため、カートの移動中に内視鏡とハンガー及び／またはカートとが衝突しやすい。このため、内視鏡が傷つき、衝突の程度によっては内視鏡が故障することがあった。
【０００４】
また、ハンガーは、支持棒に固定されている部材であるため、その消毒としてはアルコール等を染みこませたガーゼ等で拭き取る程度しかできなかった。しかし、ハンガーは内視鏡を保持しやすいように複雑な構造を備えており、常に完全に消毒した状態とすることは困難であった。このため、新たな内視鏡を用いて施術を行う場合に、この内視鏡を消毒が不完全なハンガーに吊り下げることにより汚染されるおそれがあった。
【０００５】
さらに、支持棒のカートへの取付位置及びハンガーの支持棒への固定位置が一定であるため、内視鏡の全長や各部分の構成によっては保持が十分できなかったり、一部が床に触れてしまうおそれがあった。
【課題を解決するための手段】
【０００６】
上記課題を解決するために、本発明の内視鏡用ホルダーは、把持することにより内視鏡を保持する内視鏡用ホルダーであって、内視鏡を把持する把持面に脱着可能に配置した弾性部材を備え、弾性部材を介して内視鏡を把持することを特徴としている。
【０００７】
また、本発明の内視鏡用ホルダーは、内部に挿通することにより内視鏡を保持する筒状の内視鏡用ホルダーであって、内周面に脱着可能に配置した弾性部材を備え、弾性部材に接触した状態で内視鏡を保持することを特徴としている。
【０００８】
本発明に係る内視鏡用カートは、内視鏡システムを構成する装置及び周辺機器を収納する内視鏡用カートであって、把持することにより内視鏡を保持する内視鏡用ホルダーを備え、内視鏡を把持する把持面には脱着可能に配置した弾性部材が設けられ、弾性部材を介して内視鏡を把持することを特徴としている。
【０００９】
また、本発明に係る内視鏡用カートは、内視鏡システムを構成する装置及び周辺機器を収納する内視鏡用カートであって、内部に挿通することにより内視鏡を保持する筒状の内視鏡用ホルダーを備え、内周面に脱着可能に配置した弾性部材が設けられ、弾性部材に接触した状態で内視鏡を保持することを特徴としている。
【００１０】
上記弾性部材としてシリコーンゴムを用いることができる。
【発明の効果】
【００１１】
本発明によると、保持対象たる内視鏡の全長や各部分の構成によらずに内視鏡をしっかり保持することができ、かつ、完全に消毒した状態に維持することができる内視鏡用ホルダー及び内視鏡用ホルダーを備えた内視鏡用カートを提供することができる。
【発明を実施するための最良の形態】
【００１２】
以下、本発明に係る実施形態を図面を参照しつつ詳しく説明する。
図１に示す本実施形態に係る内視鏡用カートは、本体部１０、本体部１０を構成するフレーム１１に脱着可能に配置された支持部材３０、この支持部材３０に取り付けられた内視鏡用ホルダー４０、５０と、フレーム１１に固定された内視鏡用ホルダー６０、７０と、を有する。
【００１３】
本体部１０は、互いに対向する逆Ｕ字形のフレーム１１とフレーム１２の間に、鉛直方向上から順に、平板形状の５枚の棚板１３〜１７を互いに平行に配置した構成となっている。棚板１３、棚板１４、棚板１６、及び棚板１７は、フレーム１１及びフレーム１２に両側面を溶接固定されており、フレーム１１とフレーム１２との間隔を規定している。これに対して、棚板１５は、フレーム１１及びフレーム１２に固定された板状のガイドプレート２０に案内されて、フレーム１１及びフレーム１２から突出するように又はフレーム１１及びフレーム１２で囲まれる空間内に退避するように摺動可能である。フレーム１１とフレーム１２は、それぞれキャスタ１８、１９によって移動可能に支持されている。なお、本発明のフレーム１１、フレーム１２、棚板１３〜１７、キャスタ１８、１９の形態は本実施形態に限られず、その数も任意に設定することができる。
【００１４】
このような構成の本体部１０では、例えば、棚板１３上にモニタ（不図示）、棚板１４上にプロセッサ装置（不図示）、棚板１５上にキーボード（不図示）、棚板１６上にプリンタ（不図示）、棚板１７上に光源装置（不図示）や電源装置（不図示）が配置され、内視鏡を用いた施術又は収納の用に供することができる。
【００１５】
フレーム１１の側面には、棒状の支持部材３０が鉛直方向（図１のＶ方向）に延びるように、脱着可能に取り付けられている。支持部材３０は、２つの止めネジ２１、２２によって、フレーム１１の最上部の側面１１ａ及びガイドプレート２０に取り付けられる。この支持部材３０は、内挿された管部３１を出し入れし、調整ネジ３２を用いてこれを固定することにより、所望の長さとすることができる。
【００１６】
支持部材３０には、管部３１の最上部にホルダー４０が固定され、下部にはホルダー５０が脱着可能に取り付けられている。ホルダー４０は、管部３１を出し入れすることによりその位置を変更することができる。ホルダー５０は、ネジ３３を締め付けることにより支持部材３０上の所望位置に配置することができ、ネジ３３をゆるめてほかの位置に配置し直すこともできる。  フレーム１１の最上部の側面１１ａには、同一形状のホルダー６０、７０がネジ止め固定されている。
【００１７】
支持部材３０は、フレーム１１及びフレーム１２の任意の位置に取り付けることができ、棚板１３〜１７上に配置した装置等の操作に影響がなければ棚板１３〜１７のいずれかに取り付けることもできる。ホルダー４０及びホルダー５０は、支持部材３０を介さずに、フレーム１１、フレーム１２、又は棚板１３〜１７のいずれかに直接取り付けても良い。ホルダー６０、７０は、支持部材３０に取り付けることもできる。
【００１８】
図２に示す長板状のホルダー４０は、その長手方向（図２（ａ）のＬ方向）両端に把持部４１、４２を備えている。この把持部４１、４２には、保持対象が挟持されつつ圧入される開口部４１ａ、４２ａと、開口部４１ａ、４２ａよりも内方に設けられ、開口部４１ａ、４２ａよりも幅広の形状を有する保持部４１ｂ、４２ｂと、が備えられている。開口部４１ａから保持部４１ｂに渡る内周面により、保持対象を把持する把持面４１ｃが形成される。同様に、開口部４２ａから保持部４２ｂに渡る内周面により、保持対象を把持する把持面４２ｃが形成される。
【００１９】
把持面４１ｃ上には弾性部材４５が脱着可能に配置されている。弾性部材４５としては、例えば、常温でゲル状態にあるシリコーンゴムやウレタンを用いることができる。このような材料は、弾性を有しているため、保持対象の形状に合わせて変形できると同時に、粘性を有していることにより、保持対象及び把持面４１ｃ（４２ｃ）に対して脱離可能な状態で粘着できるため好ましい。弾性部材４５は、その粘性により把持面４１ｃに吸着しているとともに、把持面４１ｃの鉛直方向（図２（ｃ）の上下方向）の略中央から最下端にかけて、内方へ突出させて形成した段部４１ｄによりその位置が規定されている（図２（ｃ））。同様に、把持面４２ｃ上には弾性部材４５が配置されており、この弾性部材４５は、その粘性により把持面４２ｃに吸着しているとともに、把持面４２ｃの鉛直方向の略中央から最下端にかけて、内方へ突出させて形成した段部４２ｄによりその位置が規定されている。弾性部材４５は、把持面４１ｃ、４２ｃから容易に脱離可能であって、洗浄により常に清浄な状態を保持することができる。また、保持対象の保持及び解除、並びに、把持面４１ｃ（４２ｃ）からの脱離及び把持面４１ｃ（４２ｃ）への装着を繰り返すことにより弾性または粘性が低下したときに新品と交換することにより保持能力を一定に維持することができる。さらに、形状、弾性、粘性の異なるものを用意することにより保持対象の種類、形状が異なっても容易に対応することができる。
【００２０】
図３に示す長板状のホルダー５０は、その長手方向（図３（ａ）のＭ方向）両端に挿通孔部５１、５２を備えている。
【００２１】
挿通孔部５１の内周面５１ｃ上には弾性部材５５が脱着可能に配置されている。弾性部材５５としては、弾性部材４５と同様に、例えば、常温でゲル状態にあるシリコーンゴムやウレタンを用いることができる。このような材料は、弾性を有しているため、保持対象の形状に合わせて変形できると同時に、粘性を有していることにより、保持対象及び内周面５１ｃ（５２ｃ）に対して脱離可能な状態で粘着できるため好ましい。弾性部材５５は、その粘性により内周面５１ｃに吸着しているとともに、内周面５１ｃの鉛直方向（図３（ｃ）の上下方向）の略中央から最下端にかけて、内方へ突出させて形成した段部５１ｄによりその位置が規定されている（図３（ｃ））。同様に、内周面５２ｃ上には弾性部材５５が配置されており、この弾性部材５５は、その粘性により内周面５２ｃに吸着しているとともに、内周面５２ｃの鉛直方向の略中央から最下端にかけて、内方へ突出させて形成した段部５２ｄによりその位置が規定されている。弾性部材５５は、内周面５１ｃ、５２ｃから容易に脱離可能であって、洗浄により常に清浄な状態を保持することができる。また、保持対象の保持及び解除、並びに、内周面５１ｃ（５２ｃ）からの脱離及び内周面５１ｃ（５２ｃ）への装着を繰り返すことにより弾性または粘性が低下したときに新品と交換することにより保持能力を一定に維持することができる。さらに、形状、弾性、粘性の異なるものを用意することにより保持対象の種類、形状が異なっても容易に対応することができる。
【００２２】
つづいて図４に示すホルダー６０について説明する。ここで、ホルダー６０とホルダー７０は同一形状を有するため、ホルダー７０の説明については省略する。
ホルダー６０は略長板状であって、その一端面をフレーム１１の最上部の側面１１ａにネジ止め固定され、他端面に把持部６１を備えている。この把持部６１には、保持対象が挟持されつつ圧入される開口部６１ａと、開口部６１ａよりも内方に設けられ、開口部６１ａよりも幅広となる略円形の断面形状を有する保持部６１ｂと、が備えられている。開口部６１ａから保持部６１ｂに渡る内周面により、保持対象を把持する把持面６１ｃが形成されている。
【００２３】
把持面６１ｃ上には弾性部材６５が脱着可能に配置されている。弾性部材６５としては、例えば、常温でゲル状態にあるシリコーンゴムやウレタンを用いることができる。このような材料は、弾性を有しているため、把持対象の形状に合わせて変形できると同時に、粘性を有していることにより、把持対象及び把持面６１ｃに対して脱離可能な状態で粘着できるため好ましい。弾性部材６５は、その粘性により把持面６１ｃに吸着しているとともに、把持面６１ｃの鉛直方向（図４（ｃ）の上下方向）の略中央から最下端にかけて、内方へ突出させて形成した段部６１ｄによりその位置が規定されている（図４（ｃ））。弾性部材６５は、把持面６１ｃから容易に脱離可能であって、洗浄により常に清浄な状態を保持することができる。また、保持対象の保持及び解除、並びに、把持面６１ｃからの脱離及び把持面６１ｃへの装着を繰り返すことにより弾性または粘性が低下したときに新品と交換することにより保持能力を一定に維持することができる。さらに、形状、弾性、粘性の異なるものを用意することにより保持対象の種類、形状が異なっても容易に対応することができる。
【００２４】
図１に示すように、以上の構成のホルダー４０、ホルダー５０、及びホルダー６０を用いて、内視鏡８０を保持することができる。内視鏡８０は一般的な電子内視鏡の例であるが、本発明に係るホルダーは電子内視鏡以外の種類の内視鏡の保持に用いることができ、また、内視鏡８０とは異なる構成、サイズを有する電子内視鏡も保持することができる。なお、図１〜図４に示す実施形態では、把持部４２及びホルダー７０を内視鏡８０の保持に用いていないが、把持部４２については把持部４１と同様に、ホルダー７０についてはホルダー６０と同様に、内視鏡８０の保持機能を発揮することができる。
【００２５】
保持対象たる内視鏡８０は、操作部８１と、操作部８１から延び、患者体内へ挿入される可撓性管状の挿入部８２と、操作部から延び、光源装置やプロセッサ装置に接続されるコネクタ部８４に接続された可撓性管状の連結管８３と、を備える。操作部８１と挿入部８２は、挿入部８２より外径の大きな折れ止め部８５において互いに接続され、連結管８３とコネクタ部８４は、連結管８３より外径の大きな折れ止め部８６において互いに接続されている。
【００２６】
この内視鏡８０は、挿入部８２の先端部８２ａを鉛直方向上方からホルダー５０の挿通孔部５１に挿入し、折れ止め部８６を開口部６１ａから保持部６１ｂへ圧入または上方から保持部６１ｂへ挿入し、さらに、折れ止め部８５を開口部４１ａから保持部４１ｂへ圧入または上方から保持部４１ｂへ挿入することにより保持される。弾性部材４５、弾性部材５５、及び弾性部材６５は、その粘性及び弾性により、折れ止め部８５、挿入部８２、折れ止め部８６に適度な圧力を与えつつ密着し、これらを確実に保持することができる。また、弾性部材４５、弾性部材５５、及び弾性部材６５は、把持面４１ｃ、内周面５１ｃ及び把持面６１ｃから容易に脱離可能であって、洗浄により常に清浄な状態を保持することができるため、内視鏡の交換をした場合に弾性部材４５、弾性部材５５、及び弾性部材６５を介して感染が生じることを防ぐことができる。さらに、内視鏡８０の保持及び解除、並びに、把持面４１ｃ、内周面５１ｃ、及び把持面６１ｃからの脱離及び把持面４１ｃ、内周面５１ｃ、及び把持面６１ｃへの装着を繰り返すことにより弾性または粘性が低下したときは、新品と交換することにより保持能力を一定に維持することができる。さらに、弾性部材４５、弾性部材５５、及び弾性部材６５として形状、弾性、粘性の異なるものを用意すると、内視鏡の種類、形状が異なっても容易に対応することができる。また、保持される内視鏡に応じて、管部３１の長さ調整によりホルダー４０の高さを調整し、支持部材３０に対するホルダー５０の取り付け位置を調整し、ホルダー６０及びホルダー７０の取り付け位置を調整することができるため、確実かつ安全な保持を実現できる。
【００２７】
本発明について上記実施形態を参照しつつ説明したが、本発明は上記実施形態に限定されるものではなく、改良の目的または本発明の思想の範囲内において改良または変更が可能である。
【図面の簡単な説明】
【００２８】
【図１】本発明の実施形態に係る内視鏡用ホルダー及び内視鏡用カートの構成を示す斜視図である。
【図２】（ａ）は本発明の実施形態に係るホルダーの構成を示す斜視図、（ｂ）は（ａ）をＩＩＢ方向から見たときの平面図、（ｃ）は（ｂ）のＩＩＣ−ＩＩＣに沿った断面図である。
【図３】（ａ）は本発明の実施形態に係るホルダーの構成を示す斜視図、（ｂ）は（ａ）をＩＩＩＢ方向から見たときの平面図、（ｃ）は（ｂ）のＩＩＩＣ−ＩＩＩＣに沿った断面図である。
【図４】（ａ）は本発明の実施形態に係るホルダーの構成を示す斜視図、（ｂ）は（ａ）をＩＶＢ方向から見たときの平面図、（ｃ）は（ｂ）のＩＶＣ−ＩＶＣに沿った断面図である。
【符号の説明】
【００２９】
１０    本体部
１１    フレーム
１２    フレーム
１３    棚板
１４    棚板
１５    棚板
１６    棚板
１７    棚板
３０    支持部材
４０    ホルダー
５０    ホルダー
６０    ホルダー
７０    ホルダー
８０    内視鏡
【図１】
2006025883.tif 000003
【図２】
2006025883.tif 000004
【図３】
2006025883.tif 000005
【図４】
2006025883.tif 000006